(57)【要約】【課題】利用券の不正使用を抑制することができる自動改札機システム、および自動改札機を提供することである。【解決手段】実施形態の自動改札機システムは、第１および第２の自動改札機を備える。第１の自動改札機は、第１の光学読取部と、第１の判定部と、印刷部とを有する。第２の自動改札機は、第２の光学読取部と、第２の判定部とを有する。第１の光学読取部は、媒体に表示された第１の表示オブジュクトから第１の情報を光学的に読み取る。第１の判定部は、第１の情報に基づいて、利用者の入場を許可するか否かを判定する。印刷部は、入場を許可すると判定された場合に、第２の情報がエンコードされた第２の表示オブジェクトを媒体に印刷する。第２の光学読取部は、第１および第２の表示オブジェクトから情報を光学的に読み取る。第２の判定部は、第２の表示オブジェクトから情報が読み取られたことを条件に利用者の出場を許可するか否かを判定する。【選択図】図７
2017054234.tif 000002
【特許請求の範囲】
【請求項１】
利用者によって提示された媒体に表示された第１の表示オブジュクトから第１の情報を光学的に読み取る第１の光学読取部、
前記第１の光学読取部により読み取られた第１の情報に基づいて、前記利用者の入場を許可するか否かを判定する第１の判定部、および、
前記第１の判定部により前記利用者の入場を許可すると判定された場合に、第２の情報がエンコードされた第２の表示オブジェクトを前記媒体に印刷する印刷部、
を有する第１の自動改札機と、
前記利用者によって提示された媒体に表示された第１の表示オブジェクトおよび第２の表示オブジェクトから情報を光学的に読み取る第２の光学読取部、および、
少なくとも前記第２の光学読取部によって前記第２の表示オブジェクトから情報が読み取られたことを条件に、前記利用者の出場を許可する第２の判定部、
を有する第２の自動改札機と、
を備える自動改札機システム。
【請求項２】
前記第１の自動改札機の印刷部は、可視領域外の波長の光を照射することで光学的に読み取り可能となる色剤によって、前記第２の表示オブジェクトを前記媒体に印刷する、
請求項１記載の自動改札機システム。
【請求項３】
前記第１の自動改札機の印刷部は、前記第２の表示オブジェクトの一部が前記第１の表示オブジェクトと重なるように、前記第２の表示オブジェクトを前記媒体に印刷する、
請求項２記載の自動改札機システム。
【請求項４】
前記第２の自動改札機の第２の光学読取部は、前記可視領域外の波長の光を前記媒体に照射すると共に前記第２の表示オブジェクトから情報を光学的に読み取る、
請求項２または３記載の自動改札機システム。
【請求項５】
前記第２の自動改札機の第２の光学読取部は、前記可視領域外の波長の光を前記媒体に照射すると共に前記第２の表示オブジェクトから情報を光学的に読み取る動作と、可視領域の波長の光を前記媒体に照射すると共に前記第１の表示オブジェクトから情報を光学的に読み取る動作とを異なるタイミングで行う、
請求項２乃至４のいずれか１項記載の自動改札機システム。
【請求項６】
前記第２の自動改札機は、前記第１の表示オブジェクトの一部または全部に重なるように前記媒体に可視色剤で印刷する第２の印刷部を、更に備える、
請求項１乃至４のいずれか１項記載の自動改札機システム。
【請求項７】
前記第２の自動改札機は、
利用者により媒体が挿入される挿入孔と、
前記挿入孔に挿入された前記媒体を、自装置の筐体内に誘導する誘導部と、
前記誘導部によって前記筐体内に誘導された前記媒体が蓄積される蓄積部と、
を更に備える、
請求項１乃至６のいずれか１項記載の自動改札機システム。
【請求項８】
前記第２の判定部は、前記利用者の出場を許可すると判定した場合に、前記誘導部を作動させる、
請求項７記載の自動改札機システム。
【請求項９】
利用者によって提示された媒体に表示された第１の表示オブジュクトから第１の情報を光学的に読み取る第１の光学読取部、
前記第１の光学読取部により読み取られた第１の情報に基づいて、前記利用者の入場を許可するか否かを判定する第１の判定部、および、
前記第１の判定部により前記利用者の入場を許可すると判定された場合に、可視領域外の波長の光を照射することで光学的に読み取り可能となる色剤によって、第２の情報がエンコードされた第２の表示オブジェクトを前記媒体に印刷する印刷部、
を有する自動改札機。
【発明の詳細な説明】
【技術分野】
【０００１】
本発明の実施形態は、自動改札機システム、および自動改札機に関する。
【背景技術】
【０００２】
従来、鉄道を利用するための乗車券を処理する自動改札機が知られている。乗車券としては、磁気券やＩＣ券の他、紙媒体に符号化されたコード情報が表示された紙券が知られている。利用内容が印刷された紙券等は、不正使用に対して脆弱な一面がある。しかしながら、従来技術では、利用券における不正使用の抑制効果が十分でない場合があった。
【先行技術文献】
【特許文献】
【０００３】
【特許文献１】特開２００７−１４９０１２号公報
【発明の概要】
【発明が解決しようとする課題】
【０００４】
本発明が解決しようとする課題は、利用券の不正使用を抑制することができる自動改札機システム、および自動改札機を提供することである。
【課題を解決するための手段】
【０００５】
実施形態の自動改札機システムは、第１の自動改札機と第２の自動改札機とを持つ。第１の自動改札機は、第１の光学読取部と、第１の判定部と、印刷部とを有する。第２の自動改札機は、第２の光学読取部と、第２の判定部とを有する。第１の光学読取部は、利用者によって提示された媒体に表示された第１の表示オブジュクトから第１の情報を光学的に読み取る。第１の判定部は、前記第１の光学読取部により読み取られた第１の情報に基づいて、前記利用者の入場を許可するか否かを判定する。印刷部は、前記第１の判定部により前記利用者の入場を許可すると判定された場合に、第２の情報がエンコードされた第２の表示オブジェクトを前記媒体に印刷する。第２の光学読取部は、前記利用者によって提示された媒体に表示された第１の表示オブジェクトおよび第２の表示オブジェクトから情報を光学的に読み取る。第２の判定部は、少なくとも前記第２の光学読取部によって前記第２の表示オブジェクトから情報が読み取られたことを条件に、前記利用者の出場を許可する。
【図面の簡単な説明】
【０００６】
【図１】入場駅に設置される自動改札機１０の外観構成図。
【図２】媒体Ｍの一例を示す図。
【図３】第１の情報の内容の一例を示す図。
【図４】図１のＸ方向から見た自動改札機１０Ａの内部構成を示す図。
【図５】印刷部２８により印刷が行われた媒体Ｍの一例を示す図。
【図６】第１の表示オブジェクトＯＢ１と第２の表示オブジェクトＯＢ２とに含められる情報の一例を示す図。
【図７】制御部５０を中心とした自動改札機１０Ａの構成図。
【図８】自動改札機１０Ａにより実行される入場時処理の流れを示すフローチャート。
【図９】媒体Ｍを取り出してよい旨の情報を示す画像ＩＭの一例を示す図。
【図１０】図１のＸ方向から見た自動改札機１０Ｂの内部構成を示す図。
【図１１】制御部６０を中心とした自動改札機１０Ｂの構成図。
【図１２】自動改札機１０Ｂにより実行される出場処理の流れを示すフローチャート。
【図１３】第２の実施形態の制御部６０Ｃを中心とした自動改札機１０Ｃの構成図。
【図１４】第１の表示オブジェクトＯＢ１の一部が遮蔽オブジェクトによって塗りつぶされた媒体Ｍの一例を示す図。
【図１５】第３の実施形態の自動改札機１０Ｄの内部構成を示す図。
【図１６】自動改札機１０Ｄの制御部６０Ｄを中心とした自動改札機１０Ｄの構成図。
【発明を実施するための形態】
【０００７】
以下、実施形態の自動改札機システム、および自動改札機を、図面を参照して説明する。必要に応じてＸＹＺ座標系を用いて図示および説明を行う。
【０００８】
（第１の実施形態）
図１は、入場駅に設置される自動改札機１０の外観構成図である。自動改札機１０は、例えば、支持体１２と、支持体に支持された筐体１４とを有する。筐体１４は、挿入口１６と、表示部１８と、スピーカ１９と、制御部５０とを備える。
【０００９】
自動改札機１０の挿入口１６には、図１のａ方向に通過しようとする利用者によって媒体Ｍが挿入される。挿入された媒体Ｍは、自動改札機１０の内部の各種処理を受ける（図４を用いて説明）。
【００１０】
なお、図１では、自動改札機１０が紙券専用機であるものとして説明するが、自動改札機１０は、ＩＣカード、磁気券、またはこれらの双方と、紙券との双方を処理可能な併用機であってもよい。また、自動改札機１０は、利用者の一方向の通過のみ許可するものに限らず、利用者の双方向の通過を許可するものであってもよい。
【００１１】
図２は、媒体Ｍの一例を示す図である。媒体Ｍは、例えば、紙の媒体に第１の表示オブジェクトＯＢ１が印刷された紙券である。媒体Ｍは、例えば駅構外に設置された発券機により発券され、鉄道を利用するために使用される乗車券である。「第１の表示オブジェクト」とは、例えば、第１の情報がエンコード（符号化）されたコード画像である。第１の表示オブジェクトは、例えばＱＲコード（登録商標）等の二次元コードである。また、第１の表示オブジェクトは、バーコード等の一次元コードであってもよい。「第１の表示オブジェクト」は、機械的に情報を読み取り可能なコード情報であれば、任意のものを使用してよい。「第１の情報」とは、自動改札機１０が設置された駅構内への入場を可能とする情報である。
【００１２】
図３は、第１の情報の内容の一例を示す図である。「第１の情報」には、例えば媒体Ｍの識別情報や、鉄道の利用可能区間を示す情報、媒体Ｍが発行された日時（発行日時）、媒体Ｍが発行された駅（発行駅）などの情報が含まれる。また、第１の情報には、第１の表示オブジェクトＯＢ１が表示された媒体Ｍの有効期間などが含まれてもよい。第１の情報は、利用者が入場しようとする駅において、その駅が利用可能区間に収まっているか否かが判定されることで、利用者の駅構内への入場を許可または禁止するための判断材料として用いられる。
【００１３】
表示部１８は、例えば第１の情報を処理した結果として得られる情報（入場許可や、利用可能区間等）を表示する。スピーカ１９は、例えば第１の情報を処理した結果として得られる情報（入場許可や、入場不許可等）を音声で出力する。
【００１４】
自動改札機１０には、入場用の自動改札機１０Ａと、出場用の自動改札機１０Ｂとが存在する。以下、これらについてそれぞれ説明する。なお、入場用の自動改札機１０Ａと出場用の自動改札機１０Ｂの機能との双方を備え、スイッチ操作などで入場用の自動改札機１０Ａとして機能するか、出場用の自動改札機１０Ｂとして機能するかを切替可能な構成とすることもできる。
【００１５】
図４は、図１のＸ方向から見た自動改札機１０Ａの内部構成を示す図である。自動改札機１０Ａには、図１に示す構成に加えて、例えば接近検知センサ２０と、第１のライト２２と、カメラ２６と、印刷部２８とが内蔵される。
【００１６】
接近検知センサ２０は、挿入口１６に挿入された媒体Ｍを検知するためのものである。接近検知センサ２０は、例えば赤外線センサや、発光素子と受光素子を用いたセンサなどにより実現される。接近検知センサ２０は、挿入口１６により挿入された媒体Ｍを検知した場合、媒体Ｍを検知したことを示す検知信号を制御部５０に出力する。制御部５０は、これに応じて作動信号を第１のライト２２に出力する。
【００１７】
第１のライト２２は、制御部５０から作動信号が入力されると、媒体Ｍに向けて光を照射する。第１のライト２２は、例えば所定の波長の光を照射する。この所定の波長の光は、例えば可視光である。
【００１８】
カメラ２６は、例えばＣＣＤ（Charge Coupled Device）やＣＭＯＳ（Complementary Metal Oxide Semiconductor）などの固体撮像素子を備える。カメラ２６は、制御部５０の撮像指示信号に基づいて、第１のライト２２によって光を照射された、媒体Ｍに表示された第１の表示オブジェクトＯＢ１を撮像し、撮像した画像のデータを制御部５０の画像解析・判定部５２（後述）に出力する。
【００１９】
印刷部２８は、制御部５０の制御に基づいて、利用者によって挿入口１６に挿入された媒体Ｍに第２の表示オブジェクトを印刷する。印刷部２８は、可視光領域外の波長の光を照射することで光学的に読み取り可能となる色剤によって、第２の表示オブジェクトＯＢ２（後述）を媒体Ｍに印刷する。可視光領域外の波長の光とは、例えば紫外光である。印刷部２８は、例えば可動部（不図示）を有し、可動部が作動することで印刷部２８の色剤吐出部（不図示）が挿入口１６に挿入された媒体Ｍに近接する。印刷部２８は、媒体Ｍに近接した状態で色剤吐出部から色剤を吐出し、第２の表示オブジェクトＯＢ２を媒体Ｍに印刷する。
【００２０】
図５は、印刷部２８により印刷が行われた媒体Ｍの一例を示す図である。媒体Ｍに印刷される第２の表示オブジェクトＯＢ２は、制御部５０により利用者の入場を許可すると判定された場合に、印刷部２８により第２の情報がエンコードされたものである。第２の表示オブジェクトＯＢ２は、例えば、ＱＲコード等の二次元のコード、またはバーコード等の一次元のコードである。「第２の表示オブジェクト」は、機械的に情報を読み取り可能なコード情報であれば任意のものを使用してもよい。第２の表示オブジェクトＯＢ２は、例えば一部または全部が第１の表示オブジェクトＯＢ１と重なるように印刷される。
【００２１】
「第２の情報」とは、媒体Ｍが、挿入口１６に投入されて処理されたことを示す情報である。「第２の情報」には、例えば入場した駅や、駅への入場日時を示す入場情報が含まれる。第２の情報は、利用者が出場しようとする駅において、入場駅で処理された媒体を利用者が用いているか否かが判定されることで、利用者の駅構外の出場を許可または禁止するための判断材料として用いられる。
【００２２】
図６は、第１の表示オブジェクトＯＢ１と第２の表示オブジェクトＯＢ２とに含められる情報の一例を示す図である。前述したように第１の表示オブジェクトＯＢ１に含められる情報（第１の情報）は、媒体Ｍの券としての識別情報である券ＩＤ、利用可能区間、媒体Ｍの発行駅、媒体Ｍの発行日時等である。第２の表示オブジェクトＯＢ２に含められる情報（第２の情報）は、入場駅、入場日時等の入場記録である。なお、第１の表示オブジェクトＯＢ１に含められる情報を、第２の表示オブジェクトＯＢ２に含められる情報に含めてもよい。
【００２３】
図７は、制御部５０を中心とした自動改札機１０Ａの構成図である。制御部５０は、例えば、画像解析・判定部５２と、入場処理部５４と、出力制御部５６と、印刷制御部５８とを備える。画像解析・判定部５２と、入場処理部５４と、出力制御部５６と、印刷制御部５８とは、例えば、ＣＰＵ（Central Processing Unit）などのプロセッサがプログラムを実行することで実現される。また、これらの機能部のうち一部または全部は、ＬＳＩ（Large Scale Integration）やＡＳＩＣ（Application Specific Integrated Circuit）、ＦＰＧＡ（Field-Programmable Gate Array）などのハードウェアで実現されてもよい。
【００２４】
画像解析・判定部５２は、カメラ２６により撮像された画像を解析することによってデコード処理を行い、第１の表示オブジェクトＯＢ１にエンコードされた情報を読み取る。そして、画像解析・判定部５２は、カメラ２６により撮像された画像の解析結果から、第１の表示オブジェクトＯＢ１にエンコードされた情報を読み取ることができた場合は、読み取り結果を入場処理部５４に出力する。画像解析・判定部５２は、カメラ２６により撮像された画像の解析結果から、第１の表示オブジェクトＯＢ１にエンコードされた情報を読み取ることができなかった場合、読み取ることができなかったことを示す信号を入場処理部５４に出力する。なお、画像解析の機能は、カメラ２６に付設された装置の機能であってもよい。
【００２５】
入場処理部５４は、利用者より挿入口１６に挿入された第１の表示オブジェクトＯＢ１にエンコードされた情報を画像解析・判定部５２から取得する。入場処理部５４は、画像解析・判定部５２から出力された情報に基づいて、利用者の駅構内への入場を許可するか否かを判定する。入場処理部５４は、判定結果に基づいて、情報出力信号を出力制御部５６に出力する。情報出力信号とは、表示部１８またはスピーカ１９に入場処理部５４の処理結果を出力させるため信号である。
【００２６】
出力制御部５６は、入場処理部５４から出力された情報出力信号に応じた画像を表示部１８に表示される。また、出力制御部５６は、入場処理部５４から出力された情報出力御信号に応じて音声をスピーカ１９に出力させる。
【００２７】
印刷制御部５８は、入場処理部５４により利用者の駅構内への入場を許可すると判定された場合、第２の表示オブジェクトＯＢ２を媒体Ｍに印刷するように印刷部２８を制御する。
【００２８】
図８は、自動改札機１０Ａにより実行される入場時処理の流れを示すフローチャートである。まず、接近検知センサ２０が、利用者により媒体Ｍが挿入口１６に挿入されたことを検知するまで待機する（ステップＳ１００）。媒体Ｍが挿入口１６に挿入されたことが検知されると、第１のライト２２が、挿入口１６に挿入された媒体Ｍに向けて光を照射する（ステップＳ１０２）。次に、カメラ２６が、利用者により挿入口１６に挿入された媒体Ｍを、第１のライト２２により媒体Ｍに光が照射された状態で撮像する（ステップＳ１０４）。以下、本処理において撮像された画像を、「第１の画像」と称する。
【００２９】
次に、画像解析・判定部５２が、第１の画像を解析する（ステップＳ１０６）。次に、画像解析・判定部５２が、第１の画像に基づいて、媒体Ｍに表示された第１の表示オブジェクトＯＢ１にエンコードされた第１の情報を読み取ることができたか否かを判定する（ステップＳ１０８）。第１の画像に基づいて第１の表示オブジェクトＯＢ１にエンコードされた第１の情報を読み取ることができなかった場合、入場処理部５４は、エラー処理を実行し、扉を閉止して、利用者の通行を禁止する（ステップＳ１１０）。ここで、エラー処理とは、例えば、扉部４０を開放状態にせず、係員の窓口で清算等を行うように促す画像を表示部１８に表示させる処理である。第１の画像に基づいて第１の表示オブジェクトＯＢ１にエンコードされた第１の情報を読み取ることができなかった場合とは、本来、第１の画像から読み取ることができる第１の情報を読み取ることができなかったことを示している。すなわち、利用者の入場を許可することができない媒体が挿入口１６に挿入された可能性が高いことを示している。
【００３０】
第１の画像に基づいて第１の表示オブジェクトＯＢ１にエンコードされた第１の情報を読み取ることができた場合、入場処理部５４は、画像解析・判定部５２から取得した第１の表示オブジェクトＯＢ１にエンコードされた第１の情報に基づいて、利用者が入場許可の条件を満たすか否を判定する（ステップＳ１１２）。入場処理部５４は、当該駅（自動改札機１０Ａが設置された駅）が、利用可能区間内に収まっているか否かを判定し、当該駅が利用可能区間に収まっている場合は、入場許可の条件を満たすと判定する。一方、入場処理部５４は、当該駅が利用可能区間外である場合は、入場許可の条件を満たさないと判定する。
【００３１】
入場許可の条件を満たさない場合、入場処理部５４は、前述したエラー処理を実行し、通行を禁止する（ステップＳ１１０）。入場許可の条件を満たす場合、入場処理部５４は、第２の情報を生成し（ステップＳ１１４）、生成した第２の情報をエンコードした第２の表示オブジェクトＯＢ２を媒体Ｍに対して印刷部２８に印刷させる（ステップＳ１１６）。
【００３２】
次に、入場処理部５４は、媒体Ｍを取り出してよい旨の情報を表示部１８に表示させる（ステップＳ１１８）。図９は、媒体Ｍを取り出してよい旨の情報を示す画像ＩＭの一例を示す図である。例えば、表示部１８は、出力制御部５６の制御に基づいて、第２の表示オブジェクトＯＢ２が印刷されたことを示す情報や、自動改札機１０Ａの通過を促すことを示す情報等を表示する。これにより本フローチャートの処理が終了する。
【００３３】
上述したように自動改札機１０Ａは、第１のライト２２およびカメラ２６を用いて、利用者によって提示された媒体Ｍに表示された第１の表示オブジュクトＯＢ１から第１の情報を光学的に読み取り、入場処理部５４が、第１のライト２２およびカメラ２６を用いて読み取られた第１の情報に基づいて、利用者の入場を許可するか否かを判定する。印刷部２８は、入場処理部５４により利用者の入場を許可すると判定された場合に、第２の情報がエンコードされた第２の表示オブジェクトＯＢ２を媒体Ｍに印刷する。これにより、自動改札機１０Ａは、利用者が入場したこと示す情報がエンコードされた第２の表示オブジェクトＯＢ２を媒体Ｍに表示させることができる。
【００３４】
以下、出場駅に設置される自動改札機１０Ｂについて説明する。ここでは、入場駅に設置される自動改札機１０Ａとの相違点を中心に説明し、自動改札機１０Ａと共通する機能等についての説明は省略する。出場駅に設置される自動改札機１０Ｂの外観は、入場駅に設置される自動改札機１０Ａの外観構成と同様であるため説明を省略する（図１参照）。
【００３５】
図１０は、図１のＸ方向から見た自動改札機１０Ｂの内部構成を示す図である。自動改札機１０Ｂは、入場駅に設置される自動改札機１０Ａの構成に加えて、第２のライト２４を備える。また、出場駅に設置される自動改札機１０Ｂにおいて、印刷部２８は省略されてよい。
【００３６】
第２のライト２４は、制御部６０からの制御に基づいて、第１のライト２２が光を照射するタイミングとは異なるタイミングで、媒体Ｍに向けて光を照射する。例えば、第１のライト２２は可視領域の波長の光を媒体Ｍに照射し、第２のライト２４は紫外光など可視領域外の波長の光を媒体Ｍに照射する。第２のライト２４は、利用者が駅構外に出場するための処理が行われる際に、第１のライト２２が光を照射した後に、第１のライト２２とは異なる波長の光を照射する。
【００３７】
図１１は、制御部６０を中心とした自動改札機１０Ｂの構成図である。制御部６０は、例えば、画像解析・判定部６２と、出場処理部６４と、出力制御部６６と、記憶部７０とを備える。
【００３８】
画像解析・判定部６２は、第１のライト２２が光を照射したタイミングでカメラ２６により撮像された画像を解析することによってデコード処理を行い、第１の表示オブジェクトＯＢ１にエンコードされた情報を読み取る。また、画像解析・判定部６２は、第２のライト２４が光を照射したタイミングでカメラ２６により撮像された画像を解析することによってデコード処理を行い、第２の表示オブジェクトＯＢ２にエンコードされた情報を読み取る。
【００３９】
そして、画像解析・判定部６２は、カメラ２６により撮像された画像の解析結果から、第１の表示オブジェクトＯＢ１にエンコードされた情報を読み取ることができた場合は、読み取り結果を出場処理部６４に出力する。また、画像解析・判定部６２は、カメラ２６により撮像された画像の解析結果から、第２の表示オブジェクトＯＢ２にエンコードされた情報を読み取ることができた場合は、読み取り結果を出場処理部６４に出力する。画像解析・判定部６２は、カメラ２６により撮像された画像の解析結果から、第１の表示オブジェクトＯＢ１にエンコードされた情報または第２の表示オブジェクトＯＢ２にエンコードされた情報を読み取ることができなかった場合、読み取ることができなかったことを示す信号を出場処理部６４に出力する。なお、画像解析の機能は、カメラ２６に付設された装置の機能であってもよい。
【００４０】
出場処理部６４は、第２のライト２４、およびカメラ２６を用いて、読み取られた情報のうち、少なくとも第２の情報が読み取られたことを条件に、利用者の出場を許可する。出力制御部６６の機能は、自動改札機１０Ａの出力制御部５６の機能と同様である。
【００４１】
記憶部７０は、例えば、ＲＡＭ（Random Access Memory）やＲＯＭ（Read Only Memory）、ＨＤＤ（Hard Disk Drive）、フラッシュメモリ等の記憶装置により実現される。記憶部７０には、各駅間の運賃が記憶された運賃テーブル７２が記憶される。出場処理部６４は、運賃テーブル７２を参照して、媒体Ｍを挿入口１６に挿入した利用者の駅構外への出場を許可するか否かを判定する。
【００４２】
図１２は、自動改札機１０Ｂにより実行される出場処理の流れを示すフローチャートである。まず、接近検知センサ２０が、利用者により媒体Ｍが挿入されたことを検知するまで待機する（ステップＳ２００）。利用者により媒体Ｍが挿入口１６に挿入されると、第１のライト２２が、挿入口１６に挿入された媒体Ｍに向けて光を照射し（ステップＳ２０２）、カメラ２６が、利用者により挿入口１６に挿入された媒体Ｍを、第１のライト２２により媒体Ｍに光が照射された状態で撮像する（ステップＳ２０４）。本実施形態における第１の画像は、第１のライト２２による照射時において撮像された画像である。
【００４３】
次に、第２のライト２４が、挿入口１６に挿入された媒体Ｍに向けて光を照射し（ステップＳ２０６）、カメラ２６が、利用者により挿入口１６に挿入された媒体Ｍを、第２のライト２４により媒体Ｍに光が照射された状態で撮像する（ステップＳ２０８）。本実施形態における第２の画像は、第２のライト２４による照射時において撮像された画像である。
【００４４】
次に、画像解析・判定部６２が、第１の画像を解析し（ステップＳ２１０）、更に第２の画像を解析する（ステップＳ２１２）。
【００４５】
次に、画像解析・判定部６２が、第１の画像に基づいて、媒体Ｍに表示された第１の表示オブジェクトＯＢ１にエンコードされた第１の情報を読み取ることができたか否かを判定する（ステップＳ２１４）。第１の画像に基づいて第１の表示オブジェクトＯＢ１にエンコードされた第１の情報を読み取ることができなかった場合、出場処理部６４は、エラー処理を実行し、扉を閉止して通行を禁止する（ステップＳ２１６）。第１の情報を読み取ることができなかった場合、第１の表示オブジェクトＯＢ１が印刷されていない正当な媒体でない可能性があるためである。
【００４６】
第１の画像に基づいて第１の表示オブジェクトＯＢ１にエンコードされた第１の情報を読み取ることができた場合、画像解析・判定部６２が、第２の画像に基づいて、媒体Ｍに表示された第２の表示オブジェクトＯＢ２にエンコードされた第２の情報を読み取ることができた否かを判定する（ステップＳ２１８）。第２の画像に基づいて第２の表示オブジェクトＯＢ２にエンコードされた第２の情報を読み取ることができなかった場合、出場処理部６４は、エラー処理を実行し、扉を閉止して通行を禁止する（ステップＳ２１６）。第２の表示オブジェクトＯＢ２にエンコードされた第２の情報を読み取ることができなかった場合、入場駅において自動改札機１０Ａにおいて入場の処理がされていない媒体である可能性があるためである。
【００４７】
第２の画像に基づいて第２の表示オブジェクトＯＢ２にエンコードされた第２の情報を読み取ることができた場合、出場処理部６４が、利用者が出場許可の条件を満たすか否を判定する（ステップＳ２２０）。出場処理部６４は、例えば第２の表示オブジェクトＯＢから第２の情報が読み取られた場合、利用者が出場許可の条件を満たすと判定する。一方、第２の情報が読み取られない場合、出場処理部６４は、出場許可の条件を満たさないと判定する。
【００４８】
具体的には、出場処理部６４は、第２の情報が読み取られ、且つ当該駅（自動改札機１０Ｂが設置された駅）が利用可能区間として第１の情報に含まれているか否かを判定する。第２の情報が読み取られ、且つ当該駅が利用可能区間である場合、出場処理部６４は、出場許可の条件を満たすと判定する。一方、第２の情報が読み取られない場合、または当該駅が利用可能区間でない場合、出場処理部６４は、出場許可の条件を満たさないと判定する。
【００４９】
また、利用可能区間を示す情報が第２の情報に含められている場合、出場処理部６４は、当該駅が第２の情報に含められている利用可能区間に収まっていか否かを判定してもよい。例えば利用可能区間は、入場駅の自動改札機１０Ａにより、改めて第２の表示オブジェクトＯＢ２にエンコードされ、印刷部２８により媒体Ｍに印刷される。この場合、出場処理部６４は、第１の表示オブジェクトを用いることなく、第２の表示オブジェクトＯＢのみで、利用者が出場許可の条件を満たすか否かの判定を行うことができる。
【００５０】
出場許可の条件を満たさない場合、出場処理部６４は、エラー処理を実行し、通行を禁止する（ステップＳ２１６）。出場許可の条件を満たす場合、出場処理部６４は、利用者の出場を許可する（ステップＳ２２２）。これにより本フローチャートの処理は終了する。
【００５１】
なお、ステップＳ２２０の処理において、出場処理部６４は、第２の情報に含まれる入場記録と、利用者が当該駅を出場しようとしている時刻とを比較し、入場記録に記録された時刻と出場しようとしている時刻とが、予め設定された時間内であるか否かを判定し、予め設定された時間内である場合、利用者の出場を許可してもよい。
【００５２】
上述した自動改札機１０Ａは、第１のライト２２、第２のライト２４、およびカメラ２６を用いて、利用者によって提示された媒体Ｍに表示された第１の表示オブジェクトＯＢ１および第２の表示オブジェクトＯＢ２から第１の情報および第２の情報を光学的に読み取り、読み取られた第１の情報および第２の情報のうち、少なくとも第２の情報が読み取られたことを条件に、利用者の出場を許可するか否かを判定する。この結果、自動改札機１０Ａは、利用者に対して入場駅で適切に入場処理が行われたかを判定することができる。
【００５３】
以上説明した第１の実施形態の自動改札機システム１は、入場処理部５４により利用者の入場を許可すると判定された場合に、入場記録を示す情報がエンコードされた第２の表示オブジェクトＯＢ２を媒体Ｍに印刷する印刷部２８を有する自動改札機１０Ａと、第２のライト２４、およびカメラ２６によって第２の表示オブジェクトＯＢ２から情報が読み取られたことを条件に、利用者の出場を許可するか否かを判定する出場処理部６４を有する自動改札機１０Ｂを有することにより、利用券の不正使用を抑制することができる。
【００５４】
（第２の実施形態）
以下、第２の実施形態について説明する。ここでは、第１の実施形態との相違点を中心に説明し、第１の実施形態と共通する機能等についての説明は省略する。第２の実施形態の自動改札機１０Ｃは、出場駅に設置される自動改札機である。第２の実施形態の自動改札機１０Ｃは、着色印刷部２９を備え、出場駅で使用された媒体Ｍは、着色印刷部２９により第１の表示オブジェクトＯＢ１が塗りつぶされることで、第１の表示オブジェクトＯＢ１が無効化される。
【００５５】
図１３は、第２の実施形態の制御部６０Ｃを中心とした自動改札機１０Ｃの構成図である。第２の自動改札機１０Ｃは、第１の実施形態の自動改札機１０Ｂの機能構成等に加え、更に、印刷制御部６８と、着色印刷部２９とを備える。
【００５６】
印刷制御部６８は、出場処理部６４により利用者により挿入口１６に挿入された媒体Ｍの第１の表示オブジェクトＯＢ１にエンコードされた情報に基づいて、利用者の駅構外への出場を許可できると判定された場合、印刷指示信号を着色印刷部２９に出力する。
【００５７】
着色印刷部２９は、印刷制御部６８から取得した印刷指示信号に基づいて、第１の表示オブジェクトＯＢ１を無効化するための色剤を用いて第１の表示オブジェクトＯＢ１の一部または全部を覆う遮蔽オブジェクトを媒体Ｍに印刷する。
【００５８】
印刷制御部６８は、出場処理部６４により利用者の出場が許可された場合、着色印刷部２９を制御して、媒体Ｍの第１の表示オブジェクトＯＢ１の一部に遮蔽オブジェクトＰを印刷する。
【００５９】
図１４は、第１の表示オブジェクトＯＢ１の一部が遮蔽オブジェクトによって塗りつぶされた媒体Ｍの一例を示す図である。遮蔽オブジェクトＰは、第１の表示オブジェクトＯＢ１および第２の表示オブジェクトＯＢ２の一部の一部を覆うように、媒体Ｍの短辺Ｓの方向に設けられた帯状の領域である。遮蔽オブジェクトＰは、例えば第１の表示オブジェクトＯＢ１の色と同一色で塗られる。遮蔽オブジェクトＰは、遮蔽オブジェクトＰと重なり合う第１の表示オブジェクトＯＢ１の視覚による識別力を低下させる。遮蔽オブジェクトＰは、例えば第１のライト２２により可視光が照射されると第１の表示オブジェクトと同一色の光を反射する。これにより、カメラ２６で、第１のライト２２により光が照射されている状態で第１の表示オブジェクトＯＢ１を撮像しても、第１の表示オブジェクトＯＢ１が識別可能な画像を得ることができない。この結果、利用者が再度媒体Ｍを挿入口１６に挿入しても、遮蔽オブジェクトＰが媒体Ｍに表示されたオブジェクトの読み取りを遮蔽するため、使用済の媒体Ｍが再利用されることを抑制することができる。
【００６０】
以上説明した第２の実施形態の自動改札機１０Ｃは、第１の表示オブジェクトＯＢ１の一部または全部に重なるように媒体Ｍに可視色剤で印刷する印刷部２９を備えることにより、使用済の媒体Ｍが不正に再利用されることを抑制させることができる。
【００６１】
（第３の実施形態）
以下、第３の実施形態について説明する。ここでは、第１の実施形態との相違点を中心に説明し、第１の実施形態と共通する機能等についての説明は省略する。第３の実施形態では、自動改札機１０Ｄは、誘導部１００を備える。誘導部１００は、出場駅で処理された媒体Ｍを取り込んで自動改札機１０Ｄの筐体１４内に回収する。
【００６２】
図１５は、第３の実施形態の自動改札機１０Ｄの内部構成を示す図である。第３の実施形態の自動改札機１０Ｄは、第１の実施形態の自動改札機１０Ｂの構成に加え、更に誘導部１００、および蓄積部１１０を備える。
【００６３】
誘導部１００は、挿入口１６付近に配置される。誘導部１００は、媒体Ｍを自動改札機１０Ｃの内部に取り込むための搬送機構を有する。誘導部１００は、搬送機構を用いて利用者により挿入口１６に挿入された媒体Ｍを取り込んで、媒体Ｍを蓄積部１１０の上方に搬送する。誘導部１００は、例えば、搬送ベルト１０２と、モータ１０４とを備える。搬送ベルト１０２は、挿入口１６付近に設けられ、挿入口１６に挿入された媒体Ｍを自動改札機１０Ｃの筐体１４の内部に取り入れる。搬送ベルト１０２は、例えば、複数のローラによって駆動され、搬送ベルト１０２から蓄積部１１０の上方まで媒体Ｍを搬送する。モータ１０４は、搬送ベルト１０２を駆動させる複数のローラを駆動する。蓄積部１１０には、誘導部１００により搬送された媒体Ｍが蓄積される。
【００６４】
図１６は、自動改札機１０Ｄの制御部６０Ｄを中心とした自動改札機１０Ｄの構成図である。制御部６０Ｄは、第１の実施形態の自動改札機１０Ｂの機能に加え、更に誘導制御部６９を備える。誘導制御部６９は、出場処理部６４によって利用者の出場を許可すると判定された場合、誘導部１００のモータ１０４を所定時間駆動させる。モータ１０４が駆動することによって、搬送ベルト１０２が作動する。そして、搬送ベルト１０２は、挿入口１６に挿入された媒体Ｍを蓄積部１１０に搬送する。
【００６５】
以上説明した第３の実施形態の自動改札機１０Ｄは、挿入口１６に挿入された媒体Ｍを、自動改札機１０Ｄの筐体１４内に誘導し、誘導した媒体Ｍを蓄積部１１０に蓄積させる。これによって、自動改札機１０Ｄは、使用済の媒体Ｍが不正に再利用されることを抑制することができる。
【００６６】
なお、自動改札機１０Ｄの誘導部１００は、挿入口１６と蓄積部１１０とを連通させる連通路の空気を吸引して連通路に負圧を発生させ、媒体Ｍを蓄積部１１０の方向に吸引する吸引部（不図示）を備え、吸引部の吸引によって媒体Ｍを蓄積部１１０に誘導してもよい。
【００６７】
以上説明した少なくともひとつの実施形態によれば、利用者によって提示された媒体に表示された第１の表示オブジュクトから第１の情報を光学的に読み取る第１の光学読取部、第１の光学読取部により読み取られた第１の情報に基づいて、利用者の入場を許可するか否かを判定する第１の判定部、および、第１の判定部により利用者の入場を許可すると判定された場合に、第２の情報がエンコードされた第２の表示オブジェクトを媒体に印刷する印刷部、を有する第１の自動改札機と、利用者によって提示された媒体に表示された第１の表示オブジェクトおよび第２の表示オブジェクトから情報を光学的に読み取る第２の光学読取部、および、少なくとも前記第２の光学読取部によって前記第２の表示オブジェクトから情報が読み取られたことを条件に、前記利用者の出場を許可する第２の判定部、を有する第２の自動改札機とを持つことにより、利用券の不正使用を抑制することができる。
【００６８】
上記説明した実施形態は、以下のように表現することができる。
利用者によって提示された媒体に表示された第１の情報がエンコードされた第１の表示オブジュクトを撮像し、撮像した画像に復号処理を行って第１の情報を光学的に読み取る第１の光学読取部、
前記第１の光学読取部により読み取られた第１の情報に基づいて、前記利用者の入場を許可するか否かを判定する第１の判定部、および、
前記第１の判定部により前記利用者の入場を許可すると判定された場合に、第２の情報がエンコードされた第２の表示オブジェクトを前記媒体に印刷する印刷部、
を有する第１の自動改札機と、
前記利用者によって提示された媒体に表示された第１の情報がエンコードされた第１の表示オブジェクトおよび第２の情報がエンコードされた第２の表示オブジェクトを撮像し、撮像した画像に複合処理を行って第１の情報および第２の情報を光学的に読み取る第２の光学読取部、および、
少なくとも前記第２の光学読取部によって前記第２の表示オブジェクトから情報が読み取られたことを条件に、前記利用者の出場を許可する第２の判定部、
を有する第２の自動改札機と、
を備える自動改札機システム。
【００６９】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００７０】
１…自動改札機システム、１０Ａから１０Ｄ…自動改札機、１４…筐体、１６…挿入口、１８…表示部、２０…接近検知センサ、２２…第１のライト、２４…第２のライト、２６…カメラ、２８…印刷部、５０…制御部、５２、６２…画像解析・判定部、５４…入場処理部、５６、６６…出力制御部、５８、６８…印刷制御部、６４…出場処理部、７０…記憶部、１００…誘導部、１１０…蓄積部
【図１】
2017054234.tif 000003
【図２】
2017054234.tif 000004
【図３】
2017054234.tif 000005
【図４】
2017054234.tif 000006
【図５】
2017054234.tif 000007
【図６】
2017054234.tif 000008
【図７】
2017054234.tif 000009
【図８】
2017054234.tif 000010
【図９】
2017054234.tif 000011
【図１０】
2017054234.tif 000012
【図１１】
2017054234.tif 000013
【図１２】
2017054234.tif 000014
【図１３】
2017054234.tif 000015
【図１４】
2017054234.tif 000016
【図１５】
2017054234.tif 000017
【図１６】
2017054234.tif 000018